(57)【要約】【課題】各セグメントの終了をユーザーに知らせるために用いられる情報のサイズを小さくしつつ、ユーザーが確実にリピート操作及び音声の切替え操作を行うことができるようにする。【解決手段】少なくとも１つの単語列から構成される１つの文となる音声情報毎に分割された音声情報列を、少なくとも１つ記録した記録媒体に用いられる再生方法であって、１つの音声情報の再生が終了する度に、所定の場所に記録された、音声情報の終了を知らせる所定の音声情報を再生する。そして所定の音声情報の再生が終了すると、前回再生した音声情報の次に記録された音声情報を再生する。【選択図】      図４
2004191620.tif 000002
【特許請求の範囲】
【請求項１】
少なくとも１つの単語列から構成される１つの文となる音声情報毎に分割された音声情報列を、少なくとも１つ記録した記録媒体の再生方法であって、
１つの前記音声情報の再生が終了する度に、所定の場所に記録された、前記音声情報の終了を知らせる所定の音声情報を再生し、
前記所定の音声情報の再生が終了すると、前回再生した音声情報の次に記録された音声情報を再生すること、を特徴とする記録媒体の再生方法。
【請求項２】
前記所定の場所は、前記記録媒体内の所定の領域であること、を特徴とする請求項１に記載の記録媒体の再生方法。
【請求項３】
前記所定の場所は、前記記録媒体を再生する再生装置が備えている所定の記録部であること、を特徴とする請求項１に記載の記録媒体の再生方法。
【請求項４】
前記所定の音声情報は、アラーム音の音声情報であること、を特徴とする請求項１から請求項３のいずれかに記載の記録媒体の再生方法。
【請求項５】
前記所定の音声情報は、ブランクの音声情報であること、を特徴とする請求項１から請求項３のいずれかに記載の記録媒体の再生方法。
【請求項６】
前記記録媒体が、少なくとも、第１の前記音声情報列と、各音声情報が前記第１の音声情報列の各音声情報に対応して記録されている第２の前記音声情報列と、を有している場合、
いずれか１つの前記音声情報列の音声情報の再生が終了すると再生される、前記所定の音声情報の再生中に、前記音声情報列の音声情報の再生を切替える操作を行うと、前回再生が終了した音声情報に対応した、他の前記音声情報列に記録されている音声情報を再生すること、を特徴とする請求項１から請求項５のいずれかに記載の記録媒体の再生方法。
【請求項７】
少なくとも１つの単語列から構成される１つの文となる音声情報毎に分割された音声情報列を、少なくとも１つ記録した記録媒体の再生方法であって、
再生中の前記音声情報の残りの再生時間が所定時間以下になると、前記再生中の前記音声情報の終了が近いことを知らせる所定の画像情報を再生すること、を特徴とする記録媒体の再生方法。
【請求項８】
１つの前記音声情報の再生が開始される度に、前記所定の画像情報による表示を消すこと、を特徴とする請求項７に記載の記録媒体の再生方法。
【請求項９】
前記所定の画像情報は、前記音声情報の残りの再生時間に応じて変化するカウンタであること、を特徴とする請求項７または請求項８のいずれかに記載の記録媒体の再生方法。
【請求項１０】
前記所定の画像情報は、前記音声情報の残りの再生時間に応じて、発光手段の点灯・点滅を変化させる情報であること、を特徴とする請求項７または請求項８のいずれかに記載の記録媒体の再生方法。
【請求項１１】
少なくとも１つの単語列から構成される１つの文となる音声情報毎に分割された音声情報列を、少なくとも１つ記録した記録媒体であって、
１つの前記音声情報の再生が終了する度に再生される、前記音声情報の終了を知らせる所定の音声情報が記録されている所定の領域を１つ有すること、を特徴とする記録媒体。
【請求項１２】
前記所定の音声情報は、アラーム音の音声情報であること、を特徴とする請求項１１に記載の記録媒体。
【請求項１３】
前記所定の音声情報は、ブランクの音声情報であること、を特徴とする請求項１１に記載の記録媒体。
【請求項１４】
少なくとも１つの単語列から構成される１つの文となる音声情報毎に分割された音声情報列を、少なくとも１つ記録した記録媒体を再生する再生装置であって、
１つの前記音声情報の再生が終了する度に再生される、前記音声情報の終了を知らせる所定の音声情報が記録されている所定の記録部を備えること、を特徴とする再生装置。
【請求項１５】
複数の前記音声情報列が記録されている記録媒体を再生する場合に、再生する前記音声情報列を切替える切替え手段と、
前記切替え手段によって切替えられた前記音声情報列における前記再生が終了した位置を記憶する位置記憶手段と、
前記位置記憶手段に記憶された位置と、前記切替えられた前記音声情報列と、に基づいて、再生する前記音声情報を決定する制御手段と、をさらに備えること、を特徴とする請求項１４に記載の再生装置。
【請求項１６】
前記制御手段は、いずれか１つの前記音声情報列の音声情報の再生が終了すると再生される、前記所定の音声情報の再生中に、前記音声情報列の音声情報の再生を切替える操作を行うと、前回再生が終了した音声情報に対応した、他の前記音声情報列に記録されている音声情報を再生すること、を特徴とする請求項１５に記載の再生装置。
【請求項１７】
前記所定の音声情報は、アラーム音の音声情報であること、を特徴とする請求項１４から請求項１６のいずれかに記載の再生装置。
【請求項１８】
前記所定の音声情報は、ブランクの音声情報であること、を特徴とする請求項１４から請求項１６のいずれかに記載の再生装置。
【請求項１９】
少なくとも１つの単語列から構成される１つの文となる音声情報毎に分割された音声情報列を、少なくとも１つ記録した記録媒体を再生する再生装置であって、
再生中の前記音声情報の終了が近いことを知らせる所定の画像情報が記録されている所定の記録部と、
前記所定の画像情報を表示する表示手段と、
前記再生中の前記音声情報の残りの再生時間が所定時間以下になると、前記所定の画像情報を前記表示手段に表示させる制御手段と、を備えること、を特徴とする再生装置。
【請求項２０】
前記制御手段は、１つの前記音声情報の再生が開始される度に、前記所定の画像情報を前記表示手段から消すこと、を特徴とする請求項１９に記載の再生装置。
【請求項２１】
前記所定の画像情報は、前記音声情報の残りの再生時間応じて変化するカウンタであること、を特徴とする請求項１９または請求項２０のいずれかに記載の再生装置。
【請求項２２】
前記所定の画像情報に応じて点灯・点滅する発光手段をさらに備えること、を特徴とする請求項１９から請求項２１のいずれかに記載の再生装置。
【発明の詳細な説明】
【０００１】
【発明の属する技術分野】
この発明は、音声情報が記録された記録媒体と、該記録媒体を再生する再生装置、及び再生方法に関する。
【０００２】
【従来の技術】
従来より、英会話を始めとする語学や楽器演奏などを学習するために、ＣＤやカセットテープ、その他の記録媒体などに、それらの学習用の音声情報が記録されたものが広く知られている。ユーザーは、音声情報が記録されたこれらの教材と、同梱されている学習用テキストとを併用して、学習を行っている。
【０００３】
また、英会話などの語学関係の教材では、複数の区画に区分された語学学習用の音声情報列が記録された領域と、複数の区画に区分された語学学習用の音声情報列に対応した、解説用の音声情報列が記録された領域とを有するＣＤやその他の記録媒体などの切替え再生、及び再生方法が知られており、近年、普及している（例えば、特許文献１参照。）。
【０００４】
上記特許文献１では、ユーザーが聞き取り難いなどの理由で、流れていたセンテンスをもう一度聞きたい場合に、確実にリピート再生できるような記録媒体と、その記録媒体の再生方法、及び音声再生中の割り込み処理方法が提案されている。
【０００５】
【特許文献１】
特許２９８３１９４号公報（第４、５項、第１図）
【０００６】
【発明が解決しようとする課題】
上述の音声再生中の割り込み処理方法は、再生中のセグメントの前半部分で割込み要求が発生したか、若しくは、再生中のセグメントの後半部分で割込み要求が発生したかどうかを判断している。割込み要求が再生中のセグメントｎの前半部分で発生したと判断されると、割込み要求が対象とするセグメントとして、再生中であったセグメントｎの前のセグメント（ｎ−１）が特定される。また、割込み要求が再生中のセグメントｎの後半部分で発生したと判断されると、割込み要求が対象とするセグメントとして、再生中であったセグメントｎ自身が特定される。そのため、英語の音声情報が記録されているセグメントｎの前半部分を再生中に、そのセグメントｎに対応する日本語訳を聞くつもりで音声情報の切替え操作を行うと、英語のセグメント（ｎ−１）に対応する日本語訳が再生されてしまい、ユーザーは、英語の意味を取り違えてしまう恐れがある。
【０００７】
また、英語のセグメントｎの再生中に切替え操作を行うと、日本語のセグメントｎが必ず再生するように構成しても、英語のセンテンスを聞き終えた後に、対応する日本語のセンテンスを聞きたい場合は、切替え操作を素早く行わなければならず、ユーザーは再生装置の操作に注意を奪われてしまい、学習に集中できないなどの不満を感じることがあった。
【０００８】
図１は、上述の記録媒体の別の形態を説明する図である。Ａトラックは、英語の音声情報が記録されているセグメントが集合したものであり、Ｂトラックは、Ａトラックの各セグメントに記録された英語に対応する日本語訳が記録されたセグメントが集合したものである。この記録媒体を再生すると、Ａトラックのセグメント１から順に音声情報が再生されていき、切替え操作を行うと、Ａトラックの再生中のセグメントに対応したＢトラックのセグメントに記録された音声情報が再生される。この例では、Ａトラックのセグメント３を再生中に切替え操作を行うと、Ｂトラックのセグメント３を再生する。すなわち、両トラックで番号が一致するセグメント同士が対応するように、各音声情報が記録されている。また、各セグメントの終わりで黒く塗り潰されている箇所は、アラーム音を表している。このアラーム音とは、各セグメントの終了をユーザーに知らせるための音であり、英語若しくは日本語のいずれか１つのセンテンスの再生が終了する度に、再生される音声情報となっている。このように記録媒体を構成することによって、ユーザーは各センテンスの再生終了後、各セグメントの終了をアラーム音で知ることができる。そのため、英語のセンテンスを聞き終えた後に、対応する日本語のセンテンスを聞きたい場合でも、確実に切替え操作を行い、所望の日本語を聞くことができるようになる。
【０００９】
しかしながら、上述の形態の記録媒体には、セグメント毎にアラーム音の音声情報が記録されている分、記録することができる英語や日本語などの学習用の音声情報が少なくなってしまう。低コスト及び管理の容易さなどの理由で、ユーザーは、１つの記録媒体の中に、できる限り多くの学習用の音声情報が記録されていることを望んでいる。そのため、アラーム音など、各セグメントの終了をユーザーに知らせるために用いられる情報のサイズは、極力小さくすることが好ましい。
【００１０】
そこで、本発明は上記の事情に鑑み、各セグメントの終了をユーザーに知らせるために用いられる情報のサイズを小さくしつつ、ユーザーが確実にリピート操作及び音声の切替え操作を行うことができる記録媒体、再生装置、及び記録媒体の再生方法を提供することを目的とする。
【００１１】
【課題を解決するための手段】
上記の課題を解決するため、本発明の一態様に係る記録媒体の再生方法は、少なくとも１つの単語列から構成される１つの文となる音声情報毎に分割された音声情報列を、少なくとも１つ記録した記録媒体に用いられる再生方法であって、１つの音声情報の再生が終了する度に、所定の場所に記録された、音声情報の終了を知らせる所定の音声情報を再生する。そして所定の音声情報の再生が終了すると、前回再生した音声情報の次に記録された音声情報を再生する。
【００１２】
また、上記記録媒体の再生方法において、所定の場所は、記録媒体内の所定の領域であったり、記録媒体を再生する再生装置が備えている所定の記録部であったりする。
【００１３】
また、上記記録媒体の再生方法において、所定の音声情報は、アラーム音の音声情報であったり、ブランクの音声情報であったりする。
【００１４】
また、上記記録媒体の再生方法において、記録媒体が、少なくとも、第１の音声情報列と、各音声情報が第１の音声情報列の各音声情報に対応して記録されている第２の音声情報列と、を有している場合、いずれか１つの音声情報列の音声情報の再生が終了すると再生される、所定の音声情報の再生中に、音声情報列の音声情報の再生を切替える操作を行うと、前回再生が終了した音声情報に対応した、他の音声情報列に記録されている音声情報を再生する。
【００１５】
また、本発明の他の態様の記録媒体の再生方法は、少なくとも１つの単語列から構成される１つの文となる音声情報毎に分割された音声情報列を、少なくとも１つ記録した記録媒体の再生方法であって、再生中の音声情報の残りの再生時間が所定時間以下になると、再生中の音声情報の終了が近いことを知らせる所定の画像情報を再生する。
【００１６】
また、上記記録媒体の再生方法は、１つの音声情報の再生が開始される度に、所定の画像情報による表示を消す。
【００１７】
また、上記記録媒体の再生方法において、所定の画像情報は、音声情報の残りの再生時間に応じて変化するカウンタであったり、音声情報の残りの再生時間に応じて、発光手段の点灯・点滅を変化させる情報であったりする。
【００１８】
また、上記の課題を解決するため、本発明の一態様に係る記録媒体は、少なくとも１つの単語列から構成される１つの文となる音声情報毎に分割された音声情報列を、少なくとも１つ記録した記録媒体であって、１つの音声情報の再生が終了する度に再生される、再生された文の終了を知らせる所定の音声情報が記録されている所定の領域を１つ有している。
【００１９】
また、上記記録媒体において、所定の音声情報は、アラーム音の音声情報であったり、ブランクの音声情報であったりする。
【００２０】
また、上記の課題を解決するため、本発明の一態様に係る再生装置は、少なくとも１つの単語列から構成される１つの文となる音声情報毎に分割された音声情報列を、少なくとも１つ記録した記録媒体を再生する再生装置であって、１つの音声情報の再生が終了する度に再生される、再生された文の終了を知らせる所定の音声情報が記録されている所定の記録部を備えている。
【００２１】
また、上記再生装置は、複数の音声情報列が記録されている記録媒体を再生する場合に、再生する音声情報列を切替える切替え手段と、切替え手段によって切替えられた音声情報列における再生が終了した位置を記憶する位置記憶手段と、位置記憶手段に記憶された位置と切替えられた音声情報列とに基づいて、再生する音声情報を決定する制御手段とをさらに備えている。
【００２２】
また、上記再生装置において、制御手段は、いずれか１つの音声情報列の音声情報の再生が終了すると再生される、所定の音声情報の再生中に、音声情報列の音声情報の再生を切替える操作を行うと、前回再生が終了した音声情報に対応した、他の音声情報列に記録されている音声情報を再生する。
【００２３】
また、上記再生装置において、所定の音声情報は、アラーム音の音声情報であったり、ブランクの音声情報であったりする。
【００２４】
また、本発明の他の態様の再生装置は、少なくとも１つの単語列から構成される１つの文となる音声情報毎に分割された音声情報列を、少なくとも１つ記録した記録媒体を再生する再生装置であって、再生中の音声情報の終了が近いことを知らせる所定の画像情報が記録されている所定の記録部と、所定の画像情報を表示する表示手段と、再生中の音声情報の残りの再生時間が所定時間以下になると、所定の画像情報を表示手段に表示させる制御手段と、を備えている。
【００２５】
また、上記再生装置において、制御手段は、１つの音声情報の再生が開始される度に、所定の画像情報を表示手段から消す。
【００２６】
また、上記再生装置において、所定の画像情報は、音声情報の残りの再生時間応じて変化するカウンタであったり、音声情報の残りの再生時間に応じて、発光手段の点灯・点滅を変化させる情報であったりする。
【００２７】
【発明の実施の形態】
図２は、本発明の第１の実施形態の記録媒体１０、及び情報再生装置１００の構成を示すブロック図である。記録媒体１０は、語学学習用の音声情報が記録されたものである。また、情報再生装置１００は、記録媒体１０がセットされる挿入部８０と、記録媒体１０に記録された情報を読み取る情報読取部２０と、情報読取部２０に読み取られた情報に所定の処理を施して、外部に信号を出力する信号処理回路３０と、情報再生装置１００全体の制御を行うＣＰＵ４０と、種々の情報が記録されているＲＯＭ５０と、一時的に情報を記憶するＲＡＭ６０と、ユーザーが情報再生装置１００に対して所定の操作が行えるように備えられた操作部７０から構成されている。
【００２８】
図３は、第１の実施形態の記録媒体１０に記録された情報を説明する図である。この記録媒体１０は、ＡトラックとＢトラックの２つの音声情報列（以下、トラックと呼ぶ）が記録された記録媒体であり、ＣＤ−ＲＯＭや、磁気記録媒体、または不揮発性メモリなど、その形態は様々である。
【００２９】
記録媒体１０が有するＡトラックは、英語を学習するための音声情報が記録されているセグメントがｎ個集合したものであり、Ｂトラックは、Ａトラックの各セグメントに記録された英語に対応する日本語訳が記録されたセグメントがｎ個集合したものである。この記録媒体１０は英語学習用の教材であるため、英語の音声情報が記録されているＡトラックがメイントラックとして定義され、日本語訳の音声情報が記録されているＢトラックがサブトラックとして定義されている。これは、記録媒体１０の再生を開始すると、Ａトラックが優先して再生されることを意味する。
【００３０】
この記録媒体１０を再生すると、Ａトラックのセグメント１から順に音声情報が再生されていき、操作部７０を操作して、再生される音声情報をＡトラックからＢトラックに切替えると、Ａトラックの再生中のセグメントに対応したＢトラックのセグメントに記録された音声情報が再生される。この実施形態では、Ａトラックのセグメント２を再生中に切替え操作を行うと、Ｂトラックのセグメント２を再生する。すなわち、両トラックで番号が一致するセグメント同士が対応するように、各音声情報が記録されている。なお、図３において本発明の説明を明瞭に行うために、ＡトラックとＢトラックとを上下に分けて図示しているが、実際に、記録媒体１０には、Ａトラックのセグメント１、Ｂトラックのセグメント１、Ａトラックのセグメント２、Ｂトラックのセグメント２・・・というように、各トラックのセグメントが番号の小さい順に交互に記録されている。
【００３１】
情報読取部２０は、記録媒体１０に記録された情報を読み取る手段である。この情報読取部２０は、記録媒体１０がＣＤ−ＲＯＭや磁気記録媒体である場合、それらの記録面に記録された情報を検出するピックアップ装置であり、記録媒体１０が不揮発性メモリである場合、そのメモリに記録された信号を信号処理回路３０に送信するものである。
【００３２】
信号処理回路３０は、情報読取部２０から送信されたデジタル音声信号に所定の処理を施して、図示しないスピーカなどの外部装置に、アナログ音声信号として出力するものである。
【００３３】
ＲＯＭ５０は、書き込み不可のマスクＲＯＭ又は電気的に書き換え可能なフラッシュＲＯＭであり、種々の情報が記録されている。このＲＯＭ５０には、例えば、後述するセグメントの終了をユーザーに知らせる音声情報が記録されていたり、記録媒体１０の再生処理を行うための音声再生用プログラムが記録されていたりする。
【００３４】
ＲＡＭ６０は、一時的に情報を記録するメモリである。このＲＡＭ６０は、再生を行うセグメントのアドレスを記憶することができる。
【００３５】
操作部７０は、ユーザーが情報再生装置１００を操作するための操作キーが設けられたものである。この操作部７０をキー操作すると、操作されたキーに応じて、操作部７０から種々の入力信号が出力され、ＣＰＵ４０に入力する。種々の入力信号とは、例えば、記録媒体１０の再生を開始する再生信号であったり、図２に示すリピート信号Ｓｒや、モード切替入力信号Ｓｍ、アラーム音切替信号Ｓａであったりする。このリピート信号Ｓｒは、再生中のセグメントをリピート再生するための入力信号であり、モード切替入力信号Ｓｍは、再生するトラックを切替えるための入力信号であり、アラーム音切替信号Ｓａは、後述するセグメントの終了をユーザーに知らせる音声情報を、ユーザーの好みに応じて変更させるための入力信号である。
【００３６】
図４は、本発明の第１の実施形態の情報再生装置１００による記録媒体１０の音声情報再生処理を示すフローチャートである。以下に、このフローチャートの説明を行う。
【００３７】
まず、ユーザーは、ＣＤ−ＲＯＭや、磁気記録媒体、または不揮発性メモリなどの形態の記録媒体１０を、挿入部８０にセットする。そして操作部７０に配列されている電源キーを押圧し、情報再生装置１００を起動させ、さらに、再生キーを押圧し、記録媒体１０の再生を開始する。上述したように、英語の音声情報が記録されているＡトラックがメイントラックであり、日本語訳の音声情報が記録されているＢトラックがサブトラックであるため、再生トラックとして、Ａトラックが選択される（Ｓ１）。
【００３８】
Ａトラックが選択されると、次に、再生を開始するセグメントの設定を行う（Ｓ２）。ここでいう設定とは、再生を開始するセグメントのアドレスをＲＡＭ６０に書き込む動作のことを示しており、ここでＲＡＭ６０に書き込まれるセグメントアドレスＸは、Ｓｅｇ１（セグメント１）のアドレスである１である。なお、記録媒体１０の再生を停止する停止信号がＣＰＵ４０に入力されると、再生が停止し、停止信号が入力されたときに再生されていたＳｅｇ（Ｘ）のアドレスが、ＲＡＭ６０に書き込まれている状態になる。すなわちこの状態で再生処理を再開すると、再生を開始するセグメントＳｅｇ（Ｘ）のアドレスは、既に、ＲＡＭ６０に書き込まれているため、Ｓ２の処理は行われずに、Ｓ３の処理に進む。ただし、この実施形態では、再生するＳｅｇ（Ｘ）のアドレスをＲＡＭ６０に書き込んでいるため、電源をオフすると、このＳｅｇ（Ｘ）のアドレスは消去してしまう。つまり、この状態で再生処理を再開した場合は、Ｓ１の処理から始まる。
【００３９】
そこで別の実施形態において、このＳｅｇ（Ｘ）のアドレスを、図示しないＥＥＰＲＯＭやフラッシュメモリなどの不揮発性メモリに書き込むように構成すれば、電源をオフしても、このＳｅｇ（Ｘ）のアドレスは記憶されているため、情報再生装置１００にリジューム機能を持たせることができる。
【００４０】
ＲＡＭ６０に、再生を開始するセグメントＳｅｇ（Ｘ）のアドレスが書き込まれると、そのアドレスに基づいて、Ｓｅｇ（Ｘ）に記録された音声情報を再生する（Ｓ３）。
【００４１】
そしてＳｅｇ（Ｘ）に記録された音声情報の再生が終了すると、音声再生用プログラムは、ＲＯＭ５０に記録された所定の音声情報を読み込み、その音声を再生する（Ｓ４）。この所定の音声情報とは、直前まで再生していたＳｅｇ（Ｘ）の終了を、ユーザーに知らせるための音声情報である。この所定の音声情報は、具体的には、音を発しないブランクの音声情報であったり、ユーザーに積極的に、Ｓｅｇ（Ｘ）の終了を知らせるアラーム音であったりする。さらに、ＲＯＭ５０には、音声の長さやパターンなどを複数種類記録されており、ユーザーは、操作部７０を操作することによって、好みの音声情報を選択し、設定することができる。
【００４２】
所定の音声情報の再生が終了すると、音声再生用プログラムは、ＲＡＭ６０に記憶されているセグメントアドレスＸを１インクリメントする。すなわち、ＲＡＭ６０には、Ｓｅｇ（Ｘ＋１）のアドレスが新たなセグメントアドレスＸとして書き込まれる（Ｓ５）。
【００４３】
上述したように、Ａトラックには、セグメントがｎ個記録されている。インクリメントされた新たなセグメントアドレスＸが、Ａトラックに記録されているセグメント数ｎより大きい場合、Ａトラックの再生は終了したと判断され（Ｓ６：Ｙ）、記録媒体１０の音声情報再生処理は終了する。
【００４４】
また、インクリメントされた新たなセグメントアドレスＸが、Ａトラックに記録されているセグメント数ｎ以下の場合、Ａトラックの再生は終了していないと判断され（Ｓ６：Ｎ）、Ｓ３に戻り、記録媒体１０の音声情報再生処理は続行される。
【００４５】
次に、ユーザーが再生中の英語に対応した日本語訳を聞く場合、すなわちモード切替えを行って日本語訳を再生させる場合に発生する割り込み処理について説明する。図５は、第１の実施形態のモード切替えの割り込み処理を示すフローチャートである。以下に、この割り込み処理の説明を行う。
【００４６】
記録媒体１０のいずれかのトラックを再生中に、操作部７０に備えられた再生するトラックのモードを切替えるモードキーを操作すると、ＣＰＵ４０にモード切替入力信号Ｓｍが入力し、モード切替えの割り込み処理が開始される。Ａトラックを再生中に、このモードキーが操作されると、音声再生用プログラムは、ＲＡＭ６０に記録されているＡトラックのＳｅｇ（Ｘ）に対応するＢトラックのＳｅｇ（Ｘ）のアドレスにジャンプし、その音声情報を再生する（Ｓ１１）。
【００４７】
ＢトラックのＳｅｇ（Ｘ）の再生が終了すると、図４のＳ３に復帰し、ＡトラックのＳｅｇ（Ｘ）を再生し、通常の音声情報再生処理を続行する。また、トラックＢを再生中に、モードキーが操作されると、この割り込み処理は終了し、図４のＳ３に復帰し、ＡトラックのＳｅｇ（Ｘ）を再生し、通常の音声情報再生処理を続行する。
【００４８】
なお、この実施形態において、日本語訳が記録されているＢトラックの各セグメントの再生が終了すると、Ａトラックのセグメントに復帰しているが、別の実施形態において、Ｂトラックの各セグメントの再生が終了後、ＲＯＭ５０に記録されている所定の音声情報を再生してから、Ａトラックのセグメントに復帰するようにプログラムを組んでもよい。
【００４９】
次に、ユーザーが再生中のセグメントをリピートして聞く場合、すなわちリピート操作を行ってセグメントをリピート再生させる場合に発生する割り込み処理について説明する。図６は、第１の実施形態のリピート再生の割り込み処理を示すフローチャートである。以下に、この割り込み処理の説明を行う。
【００５０】
Ａトラックを再生中に、操作部７０に備えられた再生中のセグメントをリピートして聞くためのリピートキーを操作すると、ＣＰＵ４０にリピート信号Ｓｒが入力し、リピート再生の割り込み処理が開始される。なお、通常の再生処理時にこのリピートキーを１回押圧すると、リピート再生の割り込み処理は開始され、この割り込み処理中にリピートキーを１回押圧すると、リピート再生の割り込み処理は解除される。
【００５１】
この割り込み処理が開始されると、まず、再生中のＳｅｇ（Ｘ）の頭出しが行われる（Ｓ２１）。Ｓｅｇ（Ｘ）の頭出しが行われると、次に、そのＳｅｇ（Ｘ）の再生を行い（Ｓ２２）、さらに、ＲＯＭ５０に記録されている所定の音声情報を再生する（Ｓ２３）。
【００５２】
所定の音声情報の再生が終了すると、ＣＰＵ４０は、この割り込み処理が解除されたかどうか判断する（Ｓ２４）。すなわち、Ｓ２１〜２３の処理中にリピートキーが操作され、この割り込み処理が解除されていれば（Ｓ２４：Ｙ）、図４のＳ５に復帰し、ＲＡＭ６０に記憶されているセグメントアドレスＸを１インクリメントし、通常の音声情報再生処理を続行する。
【００５３】
また、Ｓ２１〜２３の処理中に、この割り込み処理が解除されていなければ（Ｓ２４：Ｎ）、Ｓ２１に戻り、この割り込み処理を続行する。
【００５４】
図７は、第２の実施形態の記録媒体１０ｚに記録された情報を説明する図である。この記録媒体１０ｚは、ＡトラックとＢトラックの２つのトラック（音声情報列）が記録された記録媒体であり、ＣＤ−ＲＯＭや、磁気記録媒体、または不揮発性メモリなど、その形態は様々である。
【００５５】
この記録媒体１０ｚが有するＡトラックは、英語を学習するための音声情報が記録されているセグメントがｎ個集合したものであり、Ｂトラックは、Ａトラックの各セグメントに記録された英語に対応する日本語訳が記録されたセグメントがｎ個集合したものである。さらにＡトラックには、直前まで再生していたＳｅｇ（Ｘ）の終了を、ユーザーに知らせる所定の音声情報が記録されたＳｅｇ（０）が備えられている。この所定の音声情報は、具体的には、音を発しないブランクの音声情報であったり、ユーザーに積極的に、Ｓｅｇ（Ｘ）の終了を知らせるアラーム音であったりする。この記録媒体１０ｚでは、第１の実施形態と同様に、Ａトラックがメイントラックとして定義され、Ｂトラックがサブトラックとして定義され、両トラックでセグメントアドレスが一致するセグメント同士が対応するように、各音声情報が記録されている。
【００５６】
図８は、本発明の第２の実施形態の情報再生装置１００による記録媒体１０ｚの音声情報再生処理を示すフローチャートである。以下に、このフローチャートの説明を行う。
【００５７】
まず、ユーザーは、ＣＤ−ＲＯＭや、磁気記録媒体、または不揮発性メモリなどの形態の記録媒体１０ｚを、挿入部８０にセットし、電源を投入する。そして、再生キーを押圧し、記録媒体１０ｚの再生を開始する。第２の実施形態の音声再生用プログラムは、第１の実施形態と同様に、Ａトラックを選択し（Ｓ５１）、再生を開始するセグメントアドレスをＲＡＭ６０に書き込む。ここで、ＲＡＭ６０に書き込まれるアドレスは、Ｓｅｇ（１）のアドレスである（Ｓ５２）。そしてその書き込まれたアドレスに基づいて、Ｓｅｇ（Ｘ）に記録された音声情報を再生する（Ｓ５３）。
【００５８】
Ｓｅｇ（Ｘ）に記録された音声情報の再生が終了すると、音声再生用プログラムは、Ａトラックの先頭に記録されているＳｅｇ（０）のアドレスにジャンプし、Ｓｅｇ（０）のアドレスに記録された、直前まで再生していたＳｅｇ（Ｘ）の終了を、ユーザーに知らせる所定の音声情報を読み込み、その音声を再生する（Ｓ５４）。なお、このＳｅｇ（０）は、Ａトラックの先頭に限らず、記録媒体１０ｚのどの領域に記録されていてもよい。
【００５９】
Ｓｅｇ（０）に記録された所定の音声情報の再生が終了すると、音声再生用プログラムは、第１の実施形態と同様に、ＲＡＭ６０に記憶されているセグメントアドレスＸを１インクリメントする（Ｓ５５）。そして第１の実施形態と同様のトラック終了判断処理を行い（Ｓ５６）、その判断処理に基づいて、記録媒体１０の音声情報再生処理を続行したり（Ｓ５６：Ｎ）、終了したりする（Ｓ５６：Ｙ）。なお、この第２の実施形態において、モード切替えの割り込み処理やリピート再生の割り込み処理は、第１の実施形態と同様に行われる。
【００６０】
図９は、本発明の第３の実施形態の情報再生装置１００ｙの構成を示すブロック図である。なお、情報再生装置１００ｙにおいて、図２で示す第１の実施形態の情報再生装置１００と同一の構成には、同一の符号を付してここでの詳細な説明は省略する。
【００６１】
この情報再生装置１００ｙは、記録媒体１０と、情報読取部２０と、信号処理回路３０と、情報再生装置１００ｙ全体の制御を行うＣＰＵ４０ｙと、種々の情報が記録されているＲＯＭ５０ｙと、ＲＡＭ６０と、操作部７０と、挿入部８０と、記録媒体１０の再生状況を表示する表示部９０から構成されている。
【００６２】
図１０は、表示部９０に表示される画像情報の一例を表す図である。この表示部は、再生中の音声情報の音量や、再生中のトラック、セグメントの番号などに加えて、再生中のセグメントの残りの再生時間が所定時間以下になると、ユーザーにそのセグメントの終了が近いことを知らせる、所定の画像情報を再生することができる。この所定の画像情報とは、図１０に示すカウンタ９１であったり、プログレスバー９２であったりする。これらのカウンタ９１やプログレスバー９２は、ＲＯＭ５０ｙに記録された画像情報であり、再生中のセグメントの残りの再生時間が所定時間以下になると、そのセグメントの残りの再生時間に応じて変化して表示される画像情報である。
【００６３】
図１１は、本発明の第３の実施形態の情報再生装置１００ｙによる記録媒体１０の音声情報再生処理を示すフローチャートである。以下に、このフローチャートの説明を行う。
【００６４】
まず、ユーザーは、ＣＤ−ＲＯＭや、磁気記録媒体、または不揮発性メモリなどの形態の記録媒体１０を、情報再生装置１００ｙ本体にセットし、電源を投入する。そして、再生キーを押圧し、記録媒体１０の再生を開始する。第３の実施形態の音声再生用プログラムは、第１の実施形態と同様に、Ａトラックを選択し（Ｓ１０１）、再生を開始するセグメントアドレスをＲＡＭ６０に書き込む。ここで、ＲＡＭ６０に書き込まれるアドレスは、Ｓｅｇ（１）のアドレスである（Ｓ１０２）。そしてその書き込まれたアドレスに基づいて、Ｓｅｇ（Ｘ）に記録された音声情報を再生する（Ｓ１０３）。
【００６５】
Ｓｅｇ（Ｘ）の再生が開始されると、ＣＰＵ４０ｙは、Ｓｅｇ（Ｘ）の再生と平行して、このＳｅｇ（Ｘ）の残りの再生時間をチェックする図示しないチェック回路を作動させる（Ｓ１０４）。そして、このチェック回路によって、現在再生中のＳｅｇ（Ｘ）の残りの再生時間が所定時間以下と判断されると（Ｓ１０４：Ｙ）、音声再生用プログラムは、ＲＯＭ５０ｙに記録されている上述した所定の画像情報を、再生中の音声情報に同期させて、表示部９０に表示させる（Ｓ１０５）。
【００６６】
この所定の画像情報がカウンタ９１である場合、このＳｅｇ（Ｘ）の残りの再生時間が所定時間以下になると同時に、表示部９０にカウンタ９１が表示され、Ｓｅｇ（Ｘ）の再生が終了すると同時に０を表示するようカウントダウン表示が開始される。なお、別の実施形態において、Ｓｅｇ（Ｘ）の再生が終了する直前にカウンタ９１が０を表示し、０からこのＳｅｇ（Ｘ）の再生が終了するまでの間、ブランクなどの音声情報を再生するように構成してもよい。
【００６７】
また、この所定の画像情報がプログレスバー９２である場合、このＳｅｇ（Ｘ）の残りの再生時間が所定時間以下になると同時に、プログレスバー９２の左側に表示されているバーから順に、白から黒へと変化し、Ｓｅｇ（Ｘ）の再生が終了すると同時に全てのバーが黒くなるように表示される。なお、別の実施形態において、プログレスバー９２や図示しないＬＥＤなどを点滅させ、その点滅間隔を変化させることによって、ユーザーにそのセグメントの終了が近いことを知らせるように構成してもよい。また、表示部９０がカラーで表示できるように構成されていれば、プログレスバー９２などの色の変化によって、ユーザーにそのセグメントの終了が近いことを知らせるようにしてもよい。また、操作部７０は、ユーザーが、この所定の画像情報を、好みに応じて変更させることができる選択キーを備えている。
【００６８】
Ｓｅｇ（Ｘ）の再生が終了すると、音声再生用プログラムは、第１の実施形態と同様に、ＲＡＭ６０に記憶されているセグメントアドレスＸを１インクリメントする（Ｓ１０６）。そして第１の実施形態と同様のトラック終了判断処理を行い（Ｓ１０７）、その判断処理に基づいて、記録媒体１０の音声情報再生処理を続行したり（Ｓ１０７：Ｎ）、終了したりする（Ｓ１０７：Ｙ）。音声情報再生処理を続行する場合、音声再生用プログラムは、表示部９０から所定の画像情報をクリアし（Ｓ１０８）、次のセグメントに記録された音声情報を再生する。
【００６９】
なお、第３の実施形態の別の形態では、カウンタ９１やプログレスバー９２を表示させるタイミングとして、Ｓｅｇ（Ｘ）再生開始後、所定時間経過すると、これらの所定の画像情報を表示させるように構成することもできる。この形態では、音声再生用プログラムは、各セグメントの再生が開始されると、そのセグメントの再生時間をチェックして、再生後に所定時間経過すると、そのセグメントが終了するまで、プログレスバー９２やＬＥＤを点灯・点滅させ、ユーザーにセグメントの終了が近づいていることを知らせるように、プログラミングされている。
【００７０】
また、上記の別の形態では、次のセグメントの再生開始時間に応じて、これらの所定の画像情報を表示させるように構成することもできる。この形態では、音声再生用プログラムは、再生中のセグメントの再生時間と、次に再生されるセグメントの再生開始時間とを常にチェックし、再生中のセグメントから次に再生されるセグメントまでの残りの再生時間が所定時間以下になると、再生中のセグメントが終了するまで、プログレスバー９２やＬＥＤを点灯・点滅させ、ユーザーにセグメントの終了が近づいていることを知らせるように、プログラミングされている。
【００７１】
以上が本発明の実施形態である。本発明はこれらの実施形態に限定されるものではなく様々な範囲で変形が可能である。
【００７２】
【発明の効果】
以上のように本発明の記録媒体の再生方法では、１つの音声情報の再生が終了する度に、所定の場所に記録された、再生された文の終了を知らせる所定の音声情報を再生することができる。この所定の場所とは、記録媒体の中のある１つの領域、または、再生装置に備えられた記録部のいずれかである。すなわち、音声情報毎に、ブランクやアラーム音などの音声情報を設ける必要がなくなるため、１つの記録媒体に、より多くの音声情報を記録することができ、かつユーザーが確実にリピート操作及び音声の切替え操作を行うことが可能となる。
【００７３】
また、本発明の別の記録媒体の再生方法では、再生中の音声情報の残りの再生時間が所定時間以下になると、所定の場所に記録された、再生中の文の終了が近いことを知らせる所定の画像情報を再生することができる。すなわち、音声情報毎に、ブランクやアラーム音などの音声情報を設ける必要がなくなるため、１つの記録媒体に、より多くの音声情報を記録することができ、かつ各音声情報の終了を、明確に、視覚的に認識することができるため、ユーザーは確実にリピート操作及び音声の切替え操作を行うことができる。
【図面の簡単な説明】
【図１】従来の記録媒体に記録されている音声情報を説明する図である。
【図２】本発明の第１の実施形態の記録媒体、及び情報再生装置の構成を示すブロック図である。
【図３】本発明の第１の実施形態の記録媒体に記録された情報を説明する図である。
【図４】本発明の第１の実施形態の情報再生装置による記録媒体の音声情報再生処理を示すフローチャートである。
【図５】本発明の第１の実施形態のモード切替えの割り込み処理を示すフローチャートである。
【図６】本発明の第１の実施形態のリピート再生の割り込み処理を示すフローチャートである。
【図７】本発明の第２の実施形態の記録媒体に記録された情報を説明する図である。
【図８】本発明の第２の実施形態の情報再生装置による記録媒体の音声情報再生処理を示すフローチャートである。
【図９】本発明の第３の実施形態の記録媒体、及び情報再生装置の構成を示すブロック図である。
【図１０】本発明の第３の実施形態の表示部に表示される画像情報の一例を表す図である。
【図１１】本発明の第３の実施形態の情報再生装置による記録媒体の音声情報再生処理を示すフローチャートである。
【符号の説明】
１０  記録媒体
５０  ＲＯＭ
６０  ＲＡＭ
７０  操作部
９０  表示部
１００  情報再生装置
【図１】
2004191620.tif 000003
【図２】
2004191620.tif 000004
【図３】
2004191620.tif 000005
【図４】
2004191620.tif 000006
【図５】
2004191620.tif 000007
【図６】
2004191620.tif 000008
【図７】
2004191620.tif 000009
【図８】
2004191620.tif 000010
【図９】
2004191620.tif 000011
【図１０】
2004191620.tif 000012
【図１１】
2004191620.tif 000013